(57)【要約】【課題】  化粧紙を簡単に取り出せ、パウダーペーパーにおいては指に粉おしろいを付着させること無く手に取ることができる化粧紙包装体を得る。【解決手段】  上面１に取出口２を有し内部に化粧紙Ｐを収容する略矩形の箱状に形成された収容部本体３と、収容部本体３の一辺に連設され、取出口２を覆う開閉蓋５とからなり、取出口２は上面１の周縁部をフランジ状に残しその内側を切除して形成し、フランジ状に残された上面１を収容部本体３に収納されている化粧紙Ｐの周囲に当接する枠片部６とし、枠片部６は、開閉蓋５が連設されている収容部本体３の辺と対向する辺側にある角部の一方を取出口２内方に向かって延びる広面部６ａに形成し、開閉蓋５の内面には広面部６ａの枠内辺７に近接した位置で取出口２から露出する化粧紙Ｐに接触する粘着部８を設けた。【選択図】  図１
2019127288.tif 000002
【特許請求の範囲】
【請求項１】
上面に化粧紙を取り出す取出口を有し、内部に化粧紙の積層体を収容する略矩形の箱状に形成された収容部本体と、収容部本体の一辺にヒンジ部を介して連設され、前記取出口を覆う開閉蓋とからなり、
前記収容部本体の前記上面に有する前記取出口は、前記上面の周縁部をフランジ状に残しその内側を略矩形状に切除して形成され、前記フランジ状に残された前記上面が前記収容部本体の内部に収納されている前記化粧紙の積層体の周囲に当接する枠片部となっており、
また、前記枠片部は、前記開閉蓋が連設されている前記収容部本体の辺と対向する辺側にある角部の一方が前記取出口内方に向かって延びる広面部に形成されており、また、前記開閉蓋は、その内面に前記広面部の枠内辺に近接した位置で前記取出口から露出する前記化粧紙に接触する粘着部が設けられていることを特徴とする化粧紙包装体。
【請求項２】
前記枠片部の角部に形成されている前記広面部の枠内辺は、略直線状の斜辺となっていることを特徴とする請求項１に記載の化粧紙包装体。
【請求項３】
前記開閉蓋の内面に設けられている前記粘着部は、前記枠片部の角部に形成されている前記広面部の枠内辺に沿うように設けられていることを特徴とする請求項１または２のいずれか１に記載の化粧紙包装体。
【発明の詳細な説明】
【技術分野】
【０００１】
本発明は、化粧用脂取りシートやパウダーペーパーなどの化粧紙を収容する化粧紙包装体に関する。
【背景技術】
【０００２】
人間の顔、特に鼻、額、眉間などは皮脂の分泌が盛んであるが、浮き出した皮脂を簡易に取り除くことができる化粧用脂取りシートが、従来から広く使用されている。近年にあっては、男女を問わず肌を清潔に保つという意識が高まり、化粧用脂取りシートが一般に広く利用されるようになっている。化粧用脂取りシートとしては、薄く柔らかで平滑性の高い紙が用いられる。
また、化粧直しが簡単に行える化粧品として、薄紙に粉おしろいを塗布加工したパウダーペーパーがある。パウダーペーパーは、薄紙の一面に粉おしろいが塗布されており、粉おしろいが塗布されている面で顔を軽くたたき、粉おしろいを肌に転移させるようにして使用される。
【０００３】
このように使用される化粧用脂取りシートやパウダーペーパーなどの化粧紙は携帯に便利なように包装体に収容されて用いられる。化粧紙は、一般に複数枚の積層体として包装体に収容されており、使用毎に一枚ずつ取り出して使用されるが、薄紙をベースとしているため、一枚ずつの取り出しが面倒である。
【０００４】
このような薄紙の積層体を収容した包装体から、薄紙を簡単に取り出せるようにした包装体として、上面に化粧用脂取りシートを取り出す取出口を有し、内部に化粧用脂取りシートの積層体を収容する包装容器と、取出口を覆う開閉蓋とからなり、開閉蓋の内面に、取出口から露出する化粧用脂取りシートと接触する粘着部が設けられている化粧用脂取りシート包装体がある（（例えば、特許文献１参照）。）。
【０００５】
このように構成された化粧用脂取りシート包装体では、化粧用脂取りシートの取り出しは、取出口を閉じている開閉蓋を外側から軽く押すことにより、開閉蓋の内面に設けられている粘着部が取出口から露出する化粧用脂取りシートに接触し、開閉蓋を開けることにより粘着部に粘着した化粧用脂取りシートが包装容器から取り出される。そして、包装容器から取り出され開閉蓋の粘着部に粘着している化粧用脂取りシートを摘まんで粘着部から剥がし使用される。
【先行技術文献】
【特許文献】
【０００６】
【特許文献１】特開２００７−２４４５８８号公報
【発明の概要】
【発明が解決しようとする課題】
【０００７】
上記した、特許文献１に記載されているような化粧用脂取りシート包装体には次のような問題がある。
【０００８】
化粧用脂取りシートは薄紙をベースとしているためコシが弱く、包装容器から取り出され開閉蓋の粘着部に粘着している化粧用脂取りシートを粘着部から剥がす際に指で摘まみ難い。
パウダーペーパーにおいては、薄紙の一面に粉おしろいが塗布されており、粉おしろいが塗布された面を下側に向けて収納され、パウダーペーパーの取り出しは、取出口を閉じている開閉蓋を外側から押して、開閉蓋の内面に設けられている粘着部を取出口から露出するパウダーペーパーの粉おしろいが塗布されていない面に接触させ、開閉蓋を開けることにより粘着部に粘着したパウダーペーパーを取り出すことができる。
【０００９】
しかし、開閉蓋の粘着部に粘着しているパウダーペーパーを摘まみ粘着部から剥がして手に取ろうとする場合、化粧用脂取りシートの場合と同様に指で摘まみ難い上に、パウダーペーパーを両面側から摘まむことになり、粉おしろいが塗布されている面側の指に粉おしろいが付着してしまい、服などを汚してしまう恐れがある。だからといって、粉おしろいが塗布されていない面側だけを摘まむことは非常に苦労することになる。
【００１０】
本発明の目的は、化粧紙を簡単に取り出せ、パウダーペーパーにおいては指に粉おしろいを付着させること無く手に取ることができる化粧紙包装体を提供することにある。
【課題を解決するための手段】
【００１１】
上記の目的を達成するために、請求項１に記載の発明は、上面に化粧紙を取り出す取出口を有し、内部に化粧紙の積層体を収容する略矩形の箱状に形成された収容部本体と、収容部本体の一辺にヒンジ部を介して連設され、前記取出口を覆う開閉蓋とからなり、前記収容部本体の前記上面に有する前記取出口は、前記上面の周縁部をフランジ状に残しその内側を略矩形状に切除して形成され、前記フランジ状に残された前記上面が前記収容部本体の内部に収納されている前記化粧紙の積層体の周囲に当接する枠片部となっており、また、前記枠片部は、前記開閉蓋が連設されている前記収容部本体の辺と対向する辺側にある角部の一方が前記取出口内方に向かって延びる広面部に形成されており、また、前記開閉蓋は、その内面に前記広面部の枠内辺に近接した位置で前記取出口から露出する前記化粧紙に接触する粘着部が設けられていることを特徴とする。
【００１２】
請求項１に記載の発明によれば、前記収容部本体に収容した前記化粧紙の取り出しは、前記取出口を閉じている前記開閉蓋を外側から押して、前記開閉蓋の内面に設けられている前記粘着部を前記取出口から露出する前記化粧紙の粉おしろいが塗布されていない面に接触させ、前記開閉蓋を開動させることにより前記粘着部に粘着した前記化粧紙を前記取出口から取り出すことができる。
このとき、前記枠片部は、前記開閉蓋が連設されている前記収容部本体の辺と対向する辺側にある角部の一方が前記取出口内方に向かって延びる前記広面部に形成されており、また、前記開閉蓋の内面に設けられている前記粘着部は、前記広面部の枠内辺に近接した位置に設けられているので、前記開閉蓋を開動させたとき、初期動作で前記広面部の下側にある前記化粧紙の角部が前記広面部で押さえられた状態で引きずられ、前記粘着部の位置で折り曲げられ、この折り曲げ状態は、前記化粧紙の角部が前記広面部から抜け出す迄続き、前記化粧紙は、その角部が前記粘着部の位置で折り目が付けられ外側に向かって折り曲げられた状態で取り出される。
これにより、前記開閉蓋の内面に設けられている前記粘着部に粘着させて取り出した前記化粧紙の折り目が付いている角部を指で摘まむことによって、薄紙をベースとした化粧紙を容易に摘まんで手に取ることができる。また、化粧紙がパウダーペーパーの場合は、粉おしろいが塗布されていない面側から折り畳むようにして、前記粘着部に粘着している部分を剥がしながら摘まむことができ、粉おしろいが塗布されている面側に触れること無く、前記開閉蓋の前記粘着部に粘着している前記パウダーペーパーを前記粘着部から剥がして手に取ることができる。
【００１３】
請求項２に記載の発明は、請求項１に記載の、前記枠片部の角部に形成されている前記広面部の枠内辺は、略直線状の斜辺となっていることを特徴とする。
【００１４】
請求項２に記載の発明によれば、前記枠片部の角部に形成されている前記広面部の枠内辺は、略直線状の斜辺となっているので、前記開閉蓋を開いたとき前記枠片部の角部に形成されている前記広面部で押さえられている前記化粧紙の角部を前記広面部からスムーズに引き出すことができ、前記化粧紙の破れを防止することができる。
【００１５】
請求項３に記載の発明は、請求項１または２のいずれか１に記載の、前記開閉蓋の内面に設けられている前記粘着部は、前記枠片部の角部に形成されている前記広面部の枠内辺に沿うように設けられていることを特徴とする。
【００１６】
請求項３に記載の発明によれば、前記開閉蓋の内面に設けられている前記粘着部は、前記枠片部の角部に形成されている前記広面部の枠内辺に沿うように設けられているので、前記化粧紙の角部の折り目位置となり折り幅を決定する前記粘着部の幅が長くなることから、前記化粧紙の角部に折り目を確実に付けることができることになる。
これにより、前記開閉蓋の内面に設けられている前記粘着部に粘着させて取り出した前記化粧紙の折り目が付いている角部を容易に摘まむことができる。
【発明の効果】
【００１７】
本発明に係る化粧紙包装体によれば、収容部本体から化粧紙を容易に摘まんで手に取ることができる。また、化粧紙がパウダーペーパーの場合は、前記パウダーペーパーを取り出す際に、粉おしろいが塗布されている面側に触れること無く、前記パウダーペーパーを手に取ることができるので、指に粉おしろいが付着することを防止でき、指に付いた粉おしろいを拭き取るといった煩わしい行為がなくなり、また、指に粉おしろいが付着することによる服の汚れといった事態を防止することができる。
【図面の簡単な説明】
【００１８】
【図１】本発明に係る化粧紙包装体の実施の形態の一例を示す斜視図である。
【図２】図１のＡ−Ａ線断面図である。
【図３】収容部本体の上面からなる枠片部に形成された広面部の枠内辺と、開閉蓋の内面に設けられた粘着部との位置関係を示す説明図である。
【図４】図１に示す化粧紙包装体の展開図である。
【図５】図１に示す化粧紙包装体の収容部本体に化粧紙を収容する状態を示す説明図である。
【図６】収容部本体から化粧紙を取り出す過程を示す説明図である。
【図７】収容部本体から化粧紙を取り出す過程を示す説明図である。
【図８】収容部本体から化粧紙を取り出す過程を示す説明図である。
【図９】化粧紙が開閉蓋の内面に設けられた粘着部に粘着して収容部本体から取り出された状態を示す説明図である。
【図１０】開閉蓋の内面に設けられた粘着部に粘着しているパウダーペーパーを摘まんで剥ぎ取る状態を示す説明図である。
【発明を実施するための形態】
【００１９】
以下、本発明に係る化粧紙包装体の実施の形態の一例を図面を参照して詳細に説明する。
図１は本例の化粧紙包装体を示す斜視図、図２は図１のＡ−Ａ線断面図、図３は収容部本体の上面からなる枠片部に形成された広面部の枠内辺と、開閉蓋の内面に設けられた粘着部との位置関係を示す説明図、図４は図１に示す化粧紙包装体の展開図、図５は図１に示す化粧紙包装体の収容部本体に化粧紙を収容する状態を示す説明図、図６、図７、図８は収容部本体から化粧紙を取り出す過程を示す説明図、図９は化粧紙が開閉蓋の内面に設けられた粘着部に粘着して収容部本体から取り出された状態を示す説明図、図１０は開閉蓋の内面に設けられた粘着部に粘着しているパウダーペーパーを摘まんで剥ぎ取る状態を示す説明図である。
【００２０】
本例の化粧紙包装体は、上面１に化粧紙Ｐを取り出す取出口２を有し、内部に化粧紙Ｐの積層体を収容する略矩形の箱状に形成された収容部本体３と、収容部本体３の一辺にヒンジ部４を介して連設され、取出口２を覆う開閉蓋５とからなる。
【００２１】
収容部本体３の上面１に有する取出口２は、上面１の周縁部をフランジ状に残しその内側を略矩形状に切除して開口することにより形成されている。そして、フランジ状に残された上面１が収容部本体３の内部に収納されている化粧紙Ｐの積層体の周囲に当接する枠片部６となっている。枠片部６の幅にあっては、収容部本体３の内部に収納されている化粧紙Ｐを枠片部６の内側に開口する取出口２から容易に取り出すことができる幅であれば、特に限定されるものではない。
【００２２】
また、枠片部６は、開閉蓋５が連設されている収容部本体３の辺と対向する辺側にある角部の一方が取出口２の内方に向かって延びる広面部６ａに形成されている。枠片部６の角部に形成されている広面部６ａの枠内辺７は、本例では略直線状の斜辺となっており、広面部６ａは枠片部６の角部を頂点とする略三角形状となっている。
【００２３】
また、開閉蓋５は、その内面に枠片部６の角部に形成されている広面部６ａの枠内辺７に近接した位置で取出口２から露出する化粧紙Ｐに接触する粘着部８が設けられている。粘着部８にあっては、広面部６ａの枠内辺７に沿うように設けられている（図３参照。）。粘着部８の粘着力は、化粧紙Ｐを粘着して収容部本体３から引き出し、且つ化粧紙Ｐを容易に剥離できる粘着力であることを要する。
【００２４】
また、開閉蓋５は、その先端縁に長方形状の係合片９が連設されており、また、収容部本体３には、開閉蓋５で開口部２を閉じる際に係合片９が差し込まれる切り込み部１０が形成されている。
【００２５】
このように構成される化粧紙包装体は、紙材、プラスチック材などからなるブランクシートにより組み立てられる。本例の化粧紙包装体は、図４の展開図で示す紙製のブランクシート２０により組み立てられる。
【００２６】
ブランクシート２０は、図上、収容部本体３の底面となる底面パネル２１の上辺に、折線２２を介して収容部本体３の後壁面となる後壁パネル２３が連設され、後壁パネル２３の上辺には、折線２４を介して収容部本体３の上面１となる上面パネル２５が連設されている。上面パネル２５には、収容部本体３の枠片部６となる周縁部を残しその内側を略矩形状に切除して、収容部本体３の取出口２となる開口部２６が形成されている。
【００２７】
上面パネル２５の上辺には、折線２７を介して収容部本体３の前壁面となる前壁パネル２８が連設されている。上面パネル２５の右辺には、折線２９を介して収容部本体３の右側壁面となる右側壁パネル３０が連設され、右側壁パネル３０には、折線３１を介して底面パネル２１の内面にシールされるシールパネル３２が連設されている。また、上面パネル２５の左辺には、折線３３を介して収容部本体３の左側壁面となる左側壁パネル３４が連設され、左側壁パネル３４には、折線３５を介して底面パネル２１の内面に摺接する差し込みパネル３６が連設されている。
【００２８】
また、底面パネル２１の下辺には、折線３７を介して前壁パネル２８にシールされるシールパネル３８が連設されている。また、底面パネル２１の右辺には、折線３９を介してヒンジ部４となるヒンジパネル４０が連設され、ヒンジパネル４０には、折線４１を介して開閉蓋５となる蓋パネル４２が連設されている。蓋パネル４２の右辺には、折線４３を介して係合片９となる係合パネル４４が連設されている。
そして、上面パネル２５の左辺の折線３３上には、係合パネル４４が差し込まれる切り込み部１０が形成されている。
【００２９】
前記ブランクシート２０による本例の化粧紙包装体の組み立ては、次のようにして行われる。
【００３０】
先ず、上面パネル２５の上辺に連設されている前壁パネル２８を折線２７から谷折りし、上面パネル２５の右辺に連設されている右側壁パネル３０を折線２９から谷折りし、右側壁パネル３０に連設されているシールパネル３２を折線３１から谷折りし、また、上面パネル２５の左辺に連設されている左側壁パネル３４を折線３３から谷折りし、左側壁パネル３４に連接されている差し込みパネル３６を折線３５から谷折りする。
次に、底面パネル２１の下辺に連設されているシールパネル３８を折線３７から谷折りする。
【００３１】
このようにしてから、底面パネル２１の上辺に連設されている後壁パネル２３を折線２２から谷折りし、後壁パネル２３の上辺に連設されている上面パネル２５を折線２４から谷折りして、上面パネル２５と底面パネル２１を対向させ、上面パネル２５の右辺に連設されている右側壁パネル３０に連設されているシールパネル３２及び上面パネル２５の左辺に連設されている左側壁パネル３４に連接されている差し込みパネル３６を底面パネル２１に重ね、そして、シールパネル３２を底面パネル２１に接着する。
【００３２】
そして、上面パネル２５の上辺に連設されている前壁パネル２８に、底面パネル２１の下辺に連設されているシールパネル３８を接着することにより、箱状の収容部本体３の組み立てが完了する。
【００３３】
次に、底面パネル２１の右辺に連設されているヒンジパネル４０を折線３９から谷折りし、ヒンジパネル４０に連設されている蓋パネル４２を折線４１から谷折りすることにより、上記のようにして組み立てられた収容部本体３の上面１に重ね、蓋パネル４２の右辺に連設されている係合パネル４４を上面パネルの左辺の折線３３上に形成されている切り込み部１０に差し込むことにより、取出口２を閉じた化粧紙包装体が組み立てられる。
【００３４】
このようにして組み立てられた化粧紙包装体の収容部本体３内への化粧紙Ｐの収容にあっては、図６に示すように、上面パネル２５の左辺に連設されている左側壁パネル３４に連設されている差し込みパネル３６を収容部本体３から引き出して収容部本体３の左側壁を開き、収容部本体３内へ化粧紙Ｐを収容する。化粧紙ＰがパウダーペーパーＰの場合は、粉おしろいが塗布された面を下側に向けて収容する。
【００３５】
このように構成された化粧紙包装体によれば、収容部本体３に収容した化粧紙Ｐの取り出しは、次のようにして行われる。
【００３６】
先ず、収容部本体３の取出口２を閉じている開閉蓋５を外側から軽く押して、開閉蓋５の内面に設けられている粘着部８を取出口２から露出する化粧紙Ｐに接触させる（図６参照。）。なお、化粧紙ＰがパウダーペーパーＰの場合、粘着部８を取出口２から露出するパウダーペーパーＰの粉おしろいが塗布されていない面に接触させる。
【００３７】
これにより、化粧紙Ｐは粘着部８に粘着し、開閉蓋５を開動させることにより、開閉蓋５と一体となって引き上げられ、収容部本体３の取出口２から取り出される。
このとき、枠片部６は、開閉蓋５が連設されている収容部本体３の辺と対向する辺側にある角部の一方が取出口２の内方に向かって延びる広面部６ａに形成されており、また、開閉蓋５の内面に設けられている粘着部８は、広面部６ａの枠内辺７に近接した位置に設けられているので、開閉蓋５を開動したとき、初期動作で広面部６ａの下側にある化粧紙Ｐの角部Ｐａが広面部６ａで押さえられた状態で引きずられ、粘着部８の位置で折り曲げられ、この折り曲げ状態は、化粧紙Ｐの角部Ｐａが広面部６ａから抜け出す迄続き（図７参照）、化粧紙Ｐは、その角部Ｐａが粘着部８の位置で折り目が付けられ外側、即ち、粉おしろいが塗布されている面側に向かって折り曲げられ、軽く折り目が付いた状態で取り出される（図８参照。）。
【００３８】
広面部６ａの下側からの化粧紙Ｐの角部Ｐａの引き出しにあっては、本例では、広面部６ａの枠内辺７は、略直線状の斜辺となっているので、開閉蓋５を開いたとき枠片部６の角部に形成されている広面部６ａで押さえられている化粧紙Ｐの角部Ｐａを広面部６ａからスムーズに引き出すことができる。
【００３９】
また、開閉蓋５を開動して広面部６ａの下側から引き出された化粧紙Ｐの角部Ｐａに付く折り目にあっては、本例では、開閉蓋５の内面に設けられている粘着部８は、広面部６ａの枠内辺７に沿うように設けられているので、化粧紙Ｐの角部Ｐａの折り幅を決定する粘着部８の幅が長くなることから、化粧紙Ｐの角部Ｐａに折り目を確実に付けることができる。
【００４０】
このようにして取り出した開閉蓋５の内面に設けられている粘着部８に粘着している化粧紙Ｐは、粘着部８の位置でその角部Ｐａが外側に向かって折り曲げられた状態となる（図９参照。）。化粧紙ＰがパウダーペーパーＰの場合は、折り曲げられた角部Ｐａを折り畳むようにして、粘着部８に粘着している部分を剥がしながら摘まむことにより（図１０参照）、粉おしろいが塗布されている面側に触れること無く、開閉蓋５の粘着部８に粘着しているパウダーペーパーＰを剥がして手に取ることができる。
【符号の説明】
【００４１】
１  上面
２  取出口
３  収容部本体
４  ヒンジ部
５  開閉蓋
６  枠片部
６ａ  広面部
７  枠内辺
８  粘着部
９  係合片
１０  切り込み部
Ｐ  化粧紙
Ｐａ  化粧紙の角部
【図１】
2019127288.tif 000003
【図２】
2019127288.tif 000004
【図３】
2019127288.tif 000005
【図４】
2019127288.tif 000006
【図５】
2019127288.tif 000007
【図６】
2019127288.tif 000008
【図７】
2019127288.tif 000009
【図８】
2019127288.tif 000010
【図９】
2019127288.tif 000011
【図１０】
2019127288.tif 000012